(57)【要約】【課題】閃光導光ユニットの撮像装置への取り付けが難しい。【解決手段】閃光導光ユニットは、撮像装置のバヨネットに着脱自在に接続されるバヨネット接続部と、前記バヨネット接続部が前記バヨネットに接続された場合に前記撮像装置の閃光部に対向して、前記閃光部からの光が入力される閃光接続部と、前記バヨネット接続部が前記バヨネットに接続された場合に前記撮像装置のレンズの側方を囲い、前記閃光接続部に入力された光を前記レンズ周りに出力する光出力部とを備える。【選択図】図３
2012185190.tif 000002
【特許請求の範囲】
【請求項１】
撮像装置のバヨネットに着脱自在に接続されるバヨネット接続部と、
前記バヨネット接続部が前記バヨネットに接続された場合に前記撮像装置の閃光部に対向して、前記閃光部からの光が入力される閃光接続部と、
前記バヨネット接続部が前記バヨネットに接続された場合に前記撮像装置のレンズの側方を囲い、前記閃光接続部に入力された光を前記レンズ周りに出力する光出力部と
を備える閃光導光ユニット。
【請求項２】
前記閃光接続部は、前記閃光部と接続される面に設けられた弾性部材を有する
請求項１に記載の閃光導光ユニット。
【請求項３】
前記光出力部は、前記バヨネット接続部に対して回転可能に設けられている
請求項１または２に記載の閃光導光ユニット。
【請求項４】
前記バヨネット接続部は、前記バヨネット接続部の中心周りの周方向の複数個所で前記光出力部を固定する固定機構を有する
請求項３に記載の閃光導光ユニット。
【請求項５】
前記光出力部の出力側の端部には、他の光学部材を取り付ける取付部が設けられている
請求項１〜４のいずれか１項に記載の閃光導光ユニット。
【請求項６】
前記閃光部からの光を前記光出力部へと導光する光ファイバを
更に備える請求項１〜４のいずれか１項に記載の閃光導光ユニット。
【請求項７】
前記閃光接続部の外周面、及び、前記光出力部の外周面は遮光されている
請求項１〜６のいずれか１項に記載の閃光導光ユニット。
【請求項８】
請求項１〜７のいずれか１項に記載の前記閃光導光ユニットが接続される撮像装置。
【請求項９】
前記閃光導光ユニットを検出する検出部を有する
請求項８に記載の撮像装置。
【請求項１０】
前記検出部によって、前記閃光導光ユニットが検出されると、近距離撮影用のマクロモードに切り替える
請求項９に記載の撮像装置。
【発明の詳細な説明】
【技術分野】
【０００１】
本発明は、閃光導光ユニット及び撮像装置に関する。
【背景技術】
【０００２】
近距離撮影する場合、閃光部の光をレンズの回りに導光させる閃光導光ユニットが知られている（例えば、特許文献１参照）。
［先行技術文献］
［特許文献］
［特許文献１］  特開２００４−１１７９３９号公報
【発明の概要】
【発明が解決しようとする課題】
【０００３】
しかしながら、閃光導光ユニットの撮像装置への取り付けが難しいといった課題がある。
【課題を解決するための手段】
【０００４】
上記課題を解決するために、本発明の第１の態様は、撮像装置のバヨネットに着脱自在に接続されるバヨネット接続部と、前記バヨネット接続部が前記バヨネットに接続された場合に前記撮像装置の閃光部に対向して、前記閃光部からの光が入力される閃光接続部と、前記バヨネット接続部が前記バヨネットに接続された場合に前記撮像装置のレンズの側方を囲い、前記閃光接続部に入力された光を前記レンズ周りに出力する光出力部とを備える閃光導光ユニットである。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置の全体斜視図である。
【図２】閃光導光ユニットが取り付けられた撮像装置の全体斜視図である。
【図３】閃光導光ユニットを後面から見た斜視図である。
【図４】バヨネット接続部と光出力部との接続領域近傍の拡大縦断面図である。
【図５】光出力部がバヨネット接続部の外周に嵌められた状態を示す背面図である。
【図６】バヨネットにバヨネット接続部が位置決めされた固定前の背面図である。
【図７】バヨネットにバヨネット接続部が固定された状態の背面図である。
【図８】バヨネットに他の光学部品が固定された状態を説明する背面図である。
【図９】撮像装置の制御系を説明するブロック図である。
【図１０】撮像装置の撮像処理を説明するフローチャートである。
【図１１】閃光導光ユニットの一部を変更した撮像装置の全体斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置の全体斜視図である。図２は、閃光導光ユニットが取り付けられた撮像装置の全体斜視図である。尚、図１に矢印で示すように、紙面裏外に位置するユーザから見て上下左右前後を、撮像装置の上下左右前後方向とする。
【０００９】
図１及び図２に示すように、撮像装置１０は、筐体１２と、レンズ部１４と、閃光部１６と、レリーズボタン１８と、バヨネット２０と、検出部２２及び検出部２４と、ロック機構２６と、閃光導光ユニット２８とを備える。
【００１０】
筐体１２は、中空状に形成されている。筐体１２は、レンズ部１４と、閃光部１６と、レリーズボタン１８と、バヨネット２０と、検出部２２及び検出部２４と、ロック機構２６とを収容または保持する。
【００１１】
レンズ部１４は、複数のレンズを有する。レンズ部１４は、筐体１２の中央部に設けられている。レンズ部１４は、前後方向に伸縮して、レンズ間の距離を変更する。これにより、レンズ部１４は、被写体像を結像させる機能と、被写体像を拡大または縮小する機能を有する。
【００１２】
閃光部１６は、瞬間的に光を照射して、光量の不足を補う。閃光部１６は、筐体１２の上部の左部に固定されている。閃光部１６は、前方へと閃光を照射する。
【００１３】
レリーズボタン１８は、撮像する場合に、ユーザが押圧する。レリーズボタン１８は、筐体１２の上面の右側に配置されている。レリーズボタン１８は、上下方向に押圧可能に設けられている。
【００１４】
バヨネット２０は、筐体１２の前面に固定されている。バヨネット２０は、レンズ部１４の外周を囲むように設けられている。バヨネット２０は、平面リング状に形成されている。バヨネット２０の内周は、レンズ部１４の外周と略同形状に形成されている。バヨネット２０の外周には、３個の外爪３０が形成されている。外爪３０の外周は、円弧状に形成されている。各外爪３０は、バヨネット板バネ３２を有する。バヨネット板バネ３２は、バヨネット２０に取り付けられた閃光導光ユニット２８等の光学部品を後方へと付勢する。
【００１５】
検出部２２、２４は、バヨネット２０に取り付けられた閃光導光ユニット２８等の光学部品を検出する。検出部２２、２４は、バヨネット２０の外爪３０の外周よりもバヨネット２０の中心側に配置されている。検出部２２及び検出部２４は、バヨネット２０の中心から略同じ距離に配置されている。検出部２２及び検出部２４は、バヨネット２０の中心周りの周方向において、異なる位置に配置されている。検出部２２、２４は、バヨネット２０の外爪３０の近傍に設けられている。検出部２２、２４は、後方に押圧可能に設けられている。検出部２２及び検出部２４のいずれか一方、または、両方が押圧されることによって、バヨネット２０に取り付けられた光学部品の種類を識別する。
【００１６】
ロック機構２６は、バヨネット２０に取り付けられた光学部品のバヨネット２０の中心周りの回転を規制する。ロック機構２６は、ロック爪３４と、ロック解除ボタン３６とを有する。ロック爪３４は、バヨネット２０の外爪３０の外周よりもバヨネット２０の中心側に配置されている。ロック爪３４は、前後方向に移動可能に設けられている。ロック爪３４は、付勢部材によって、前方へと付勢されている。これにより、ロック解除ボタン３６は、後方に押圧されると筐体１２に収容される。ロック解除ボタン３６は、ユーザによって押圧されると、ロック爪３４を後方へ移動させる。これにより、バヨネット２０に取り付けられた閃光導光ユニット２８等の光学部品が、バヨネット２０の中心周りに回転可能になる。この結果、光学部品が取り外しできる状態となる。
【００１７】
閃光導光ユニット２８は、閃光部１６から照射された閃光をレンズ部１４の周りへと導光させて前方へと照射する。閃光導光ユニット２８は、閃光接続部４０と、光出力部４２とを有する。
【００１８】
閃光接続部４０は、中空状に形成されている。閃光接続部４０の一端は、閃光導光ユニット２８が撮像装置１０のバヨネット２０に接続された場合、閃光部１６の前面に対向して接続される。これにより、閃光接続部４０には、閃光部１６からの閃光が入力される。閃光接続部４０の他端は、光出力部４２の外周面に接続されている。これにより、閃光接続部４０は、閃光部１６から出力された閃光を光出力部４２へと導光する。
【００１９】
光出力部４２は、円筒形状に形成されている。光出力部４２の内周は、レンズ部１４の外周と略同形状に形成されている。これにより、光出力部４２は、閃光導光ユニット２８が撮像装置１０のバヨネット２０に接続された場合、レンズ部１４のレンズの側方を囲む。光出力部４２の前面は、閃光の出力面として機能する。これにより、光出力部４２は、閃光接続部４０に入力された閃光をレンズ部１４のレンズの周りから前方へと出力する。
【００２０】
図３は、閃光導光ユニットを後面から見た斜視図である。閃光導光ユニット２８は、バヨネット接続部４４と、複数の光ファイバ４６とを更に備える。
【００２１】
バヨネット接続部４４は、平面リング状に形成されている。バヨネット接続部４４は、３個のバヨネット羽根４８を有する。バヨネット羽根４８は、バヨネット接続部４４の内周面から内側へと突出している。３個のバヨネット羽根４８の内周は、円弧状に形成されている。３個のバヨネット羽根４８は、バヨネット接続部４４の中心周りの周方向において、略１２０°間隔で配置されている。バヨネット羽根４８は、バヨネット接続部４４の外周部よりも薄い。バヨネット羽根４８は、バヨネット接続部４４の前後方向の中央部に形成されている。バヨネット羽根４８の内周は、外爪３０が形成されていない領域のバヨネット２０の外周よりも大きく、外爪３０の外周よりも小さい。バヨネット接続部４４の内周のうち、バヨネット羽根４８が形成されていない領域の内周は、外爪３０の外周よりも大きい。このため、バヨネット接続部４４を回転させると、バヨネット羽根４８の内周を外爪３０に重ねることができる。これにより、バヨネット接続部４４は、撮像装置１０のバヨネット２０に着脱自在に接続されることになる。この結果、閃光導光ユニット２８が、バヨネット２０を介して、撮像装置１０に接続される。
【００２２】
バヨネット接続部４４の外周には、９個の凹部５０が形成されている。バヨネット接続部４４は、９個の規制部材５２、及び、９個の固定部材５４を有する。尚、凹部５０、規制部材５２、及び、固定部材５４の個数は適宜変更してよい。規制部材５２及び固定部材５４は、固定機構の一例である。
【００２３】
９個の規制部材５２は、バヨネット接続部４４の外周部に配置されている。９個の規制部材５２は、それぞれ、９個の凹部５０からバヨネット接続部４４の中心Ｇの周りに同じ角度回転された位置に配置されている。規制部材５２は、バヨネット接続部４４の中心Ｇを原点とする径方向において、凹部５０の内周よりも外側であって、バヨネット接続部４４の外周よりも内側に配置されている。
【００２４】
９個の固定部材５４は、それぞれ、バヨネット接続部４４の中心Ｇの周りの周方向において、凹部５０と規制部材５２との間に配置されている。９個の固定部材５４は、光出力部４２を後方に付勢して固定する。
【００２５】
バヨネット接続部４４は、弾性部材５６を有する。弾性部材５６は、閃光部１６に接続される側のバヨネット接続部４４の接続面に設けられている。弾性部材５６は、バヨネット接続部４４の端面外周部を囲むように設けられている。これにより、バヨネット接続部４４が閃光部１６に対向して接続されると、弾性部材５６は、閃光部１６の外周を囲むように配置されている。
【００２６】
バヨネット接続部４４は、閃光部１６に接続される閃光側端部５８と、光出力部４２に接続される光出力側端部６０と、回動軸６２とを更に備える。回動軸６２は、ヒンジ構造を有する。回動軸６２は、閃光側端部５８を回動可能に、光出力側端部６０に接続する。これにより、閃光側端部５８は、図３に一点鎖線で示す光出力側端部６０と略平行な状態と、図３に実線で示す光出力側端部６０と略直交する状態の間で回動される。
【００２７】
複数の光ファイバ４６は、バヨネット接続部４４の端部から光出力部４２にわたって設けられている。光ファイバ４６の出力側端部は、光出力部４２の前面の近傍まで延びる。光ファイバ４６は、閃光部１６から出力された閃光を光出力部４２へと導光させて、光出力部４２の前面から出力させる。光ファイバ４６の出力側端部は、光出力部４２から出力される閃光が周方向において均一となるように、光出力部４２の内部に配置されている。
【００２８】
光出力部４２の後面は、平面リング状に形成されている。光出力部４２の後面の内周は、バヨネット接続部４４の外周面と略同形状に形成されている。光出力部４２の後面は、バヨネット接続部４４の外周に外嵌されている。また、光出力部４２は、バヨネット接続部４４に対して回転可能に設けられている。
【００２９】
光出力部４２の後面の内周には、連結凸部６６が形成されている。連結凸部６６は、光出力部４２の内周から内側へと突出している。連結凸部６６の内周は、バヨネット接続部４４の中心Ｇを原点とする径方向において、バヨネット接続部４４の凹部５０の外周よりも外側であって、凹部５０の形成されていない領域のバヨネット接続部４４の外周よりも内側に形成されている。これにより、光出力部４２がバヨネット接続部４４の中心Ｇの周りを回転すると、連結凸部６６が規制部材５２に当接する。これにより、光出力部４２の回転が規制部材５２によって規制される。この状態で、固定部材５４が連結凸部６６を付勢することによって、光出力部４２がバヨネット接続部４４に固定される。９対の規制部材５２及び固定部材５４の何れかが光出力部４２を固定することにより、規制部材５２及び固定部材５４は、バヨネット接続部４４の中心Ｇの周りの周方向の９個所の何れかで光出力部４２を固定することになる。連結凸部６６が形成されていない領域の光出力部４２の後面の内周は、バヨネット接続部４４の中心Ｇの径方向において、凹部５０の形成されていない領域のバヨネット接続部４４の外周よりも外側に形成されている。
【００３０】
図４は、バヨネット接続部と光出力部との接続領域近傍の拡大縦断面図である。尚、図４は、中心Ｇの周りの周方向において、異なる位置の断面が組み合わされている。
【００３１】
図４に示すように、バヨネット２０の外爪３０には、前後方向の中央部にバヨネット溝６８が形成されている。バヨネット溝６８の前後方向の幅は、バヨネット接続部４４のバヨネット羽根４８の前後方向の厚みよりも大きい。バヨネット溝６８には、バヨネット羽根４８が嵌合される。バヨネット溝６８の内部には、バヨネット板バネ３２が配置されている。バヨネット板バネ３２は、バヨネット羽根４８を後方へ付勢する。これにより、バヨネット羽根４８は、バヨネット板バネ３２と、バヨネット溝６８の後面とによって挟持される。この結果、筐体１２に対する閃光導光ユニット２８の位置ずれ及びがたつきが低減される。
【００３２】
バヨネット接続部４４の外周のうち、凹部５０が形成されていない領域には、連結溝７０が形成されている。連結溝７０は、バヨネット接続部４４の前後方向の中央部に形成されている。連結溝７０の前後方向の幅は、光出力部４２の連結凸部６６の前後方向の厚みよりも大きい。連結溝７０には、連結凸部６６が嵌合される。連結溝７０の内部には、固定部材５４が設けられている。固定部材５４は、連結凸部６６を後方へ付勢する。これにより、連結凸部６６は、固定部材５４と、連結溝７０の後面とによって挟持される。この結果、バヨネット接続部４４に対する光出力部４２の位置ずれ及びがたつきが低減される。
【００３３】
閃光接続部４０が、閃光部１６と接続されると、閃光接続部４０の端面に設けられた弾性部材５６は、閃光部１６の外周を囲むように設けられている。光ファイバ４６は、閃光接続部４０の内部に配置されている。
【００３４】
図５は、光出力部がバヨネット接続部の外周に嵌められた状態を示す背面図である。尚、図５は、光出力部４２がバヨネット接続部４４に固定されていない状態である。
【００３５】
図５に示すように、光出力部４２の連結凸部６６がバヨネット接続部４４の９個所の凹部５０のいずれかに位置合わせされた状態で、光出力部４２が、バヨネット接続部４４の外側に嵌め込まれる。この状態で、バヨネット接続部４４を固定して、光出力部４２を図５の矢印方向に回転させる。図３に示すように、連結凸部６６の一端が、何れかの規制部材５２に当接して、図５の矢印方向の回転が規制されて位置決めされる。この状態で、連結凸部６６が固定部材５４によって後方に付勢されて、光出力部４２は、バヨネット接続部４４に対して固定される。更に、外爪３０の位置が異なる場合、または、閃光部１６の位置が異なる場合、連結凸部６６を他の凹部５０に位置決めした後、光出力部４２を回転させればよい。これにより、閃光導光ユニット２８は、異なる位置の外爪３０、及び、異なる位置の閃光部１６に対応できる。
【００３６】
図６は、バヨネットにバヨネット接続部が位置決めされた固定前の背面図である。図７は、バヨネットにバヨネット接続部が固定された状態の背面図である。図８は、バヨネットに他の光学部品が固定された状態を説明する背面図である。
【００３７】
バヨネット接続部４４をバヨネット２０に接続する場合、図６に示すように、最初、３個のバヨネット羽根４８を外爪３０と外爪３０との間に位置決めする。この段階では、一方の検出部２４及びロック爪３４が、バヨネット羽根４８によって押圧されている。この後、バヨネット接続部４４を図６に示す矢印方向に回転させることによって、バヨネット羽根４８が、バヨネット溝６８に挿入される。バヨネット羽根４８が、図７に示す固定位置まで回転されると、検出部２２、２４が、バヨネット羽根４８によって押圧された状態となる。これにより、検出部２２、２４の両方から検出信号が出力される。また、バヨネット羽根４８によって押圧されていたロック爪３４が、バヨネット羽根４８の押圧を解除されて、前方へと付勢されて突出する。これにより、バヨネット羽根４８は、逆方向の回転を規制されて、ロック状態となる。ロック解除ボタン３６を押圧すると、ロック爪３４が後方の筐体１２へと収容されて、バヨネット接続部４４のロック状態が解除される。この状態で、図７の矢印方向にバヨネット接続部４４を回転させることにより、３個のバヨネット羽根４８が、外爪３０と外爪３０との間まで移動されて、閃光導光ユニット２８が取り外される。
【００３８】
ここで、図８に示すように、バヨネット羽根１４８の形状が異なるバヨネット接続部１４４を有する光学部品がバヨネット２０に固定された場合、固定状態でも一方の検出部２４がバヨネット羽根１４８によって押圧されない。これにより、他方の検出部２２から検出信号が出力されるが、一方の検出部２４からは検出信号が出力されない。これにより、閃光導光ユニット２８とは異なる光学部品がバヨネット２０に固定されたことが検出される。
【００３９】
図９は、撮像装置の制御系を説明するブロック図である。図９に示すように、撮像装置１０は、ＣＰＵ（＝中央処理装置）７４と、撮像素子７６と、撮像制御部７８と、ズーム制御部８０と、フォーカス制御部８２と、ズームボタン８４と、記憶部８６とを更に備える。
【００４０】
ＣＰＵ７４は、撮像装置１０の制御全般を司る。ＣＰＵ７４には、撮像制御部７８と、ズーム制御部８０と、フォーカス制御部８２と、ズームボタン８４と、記憶部８６と、検出部２２、２４と、閃光部１６と、レリーズボタン１８とが信号を入出力可能に接続されている。これにより、ＣＰＵ７４は、種々の情報を取得するとともに、種々の指示を出力する。
【００４１】
撮像素子７６は、レンズ部１４を介して入射した被写体像を光電変換して、電気信号として撮像制御部７８へと出力する。撮像制御部７８は、撮像素子７６から入力された電気信号をノイズ除去、アナログ／デジタル変換した後、ＣＰＵ７４へと出力する。
【００４２】
ズーム制御部８０は、ＣＰＵ７４からの指示によってレンズ部１４を駆動して、被写体像を拡大または縮小する。フォーカス制御部８２は、ＣＰＵ７４からの指示によってレンズ部１４を駆動して、被写体像を合焦させる。
【００４３】
検出部２２、２４は、バヨネット羽根４８によって押圧されると、検出信号をＣＰＵ７４へと出力する。ＣＰＵ７４は、この検出信号に基づいて、バヨネット２０に接続された光学部品を判定する。
【００４４】
閃光部１６は、ＣＰＵ７４からの指示によって、閃光を照射する。レリーズボタン１８は、ユーザに操作されると、レリーズ信号をＣＰＵ７４に出力する。これにより、ＣＰＵ７４は、撮像制御部７８に指示を出力して、撮像する。
【００４５】
ズームボタン８４は、ユーザによって操作されると、ズーム信号をＣＰＵ７４に出力する。これにより、ＣＰＵ７４は、ズーム制御部８０に拡大指示または縮小指示を出力する。
【００４６】
記憶部８６は、ＦｌａｓｈＲＯＭ等の記憶媒体からなる。記憶部８６は、マクロモードプログラムを含む撮像プログラム等のプログラム、種々のパラメータ、及び、撮像された画像情報等の情報を格納する。ＣＰＵ７４は、記憶部８６に情報を格納するとともに、記憶部８６に格納された情報を適宜取得する。
【００４７】
図１０は、撮像装置の撮像処理を説明するフローチャートである。撮像処理は、ＣＰＵ７４が記憶部８６に格納された撮像プログラムを読み込んで実行される。
【００４８】
まず、ＣＰＵ７４は、閃光導光ユニット２８がバヨネット２０に装着されたか否かを判定する（Ｓ１０）。ＣＰＵ７４は、検出部２２、２４の両方から検出信号が入力されていない場合は、閃光導光ユニット２８が装着されていないと判定して（Ｓ１０：Ｎｏ）、レンズ部１４のレンズを駆動して、通常モードに設定する（Ｓ１１）。尚、通常モードとは、撮像装置１０から被写体像が一定距離離れた状態で撮像する場合に適用される近距離撮影以外のモードのことである。ＣＰＵ７４は、レリーズボタン１８が操作された否かを判定する（Ｓ１２）。ＣＰＵ７４は、レリーズボタン１８が操作されていないと判定すると（Ｓ１２：Ｎｏ）、ステップＳ１０を再度実行する。一方、ＣＰＵ７４は、レリーズボタン１８が操作されたと判定すると（Ｓ１２：Ｙｅｓ）、画像を撮像する（Ｓ１４）。これにより、ＣＰＵ７４は、撮像素子７６によって撮像されている画像を画像情報として、記憶媒体に格納する。
【００４９】
ステップ１０において、検出部２２、２４の両方から検出信号が出力されていると、ＣＰＵ７４は、閃光導光ユニット２８が装着されていると判定する（Ｓ１０：Ｙｅｓ）。これにより、ＣＰＵ７４は、閃光導光ユニット２８が検出されると、閃光部１６に電力を蓄電するとともに、フォーカス制御部８２及びズーム制御部８０を介してレンズ部１４を駆動して近距離撮影用のマクロモードに切り替える（Ｓ１６）。この後、ＣＰＵ７４は、レリーズボタン１８が操作されたと判定すると（Ｓ１８：Ｙｅｓ）、閃光部１６を駆動する（Ｓ２０）。これにより、閃光部１６は、閃光を照射する。閃光は、閃光接続部４０の内部に設けられた光ファイバ４６を導光して、レンズ部１４の外周を囲む光出力部４２の前面の全体から照射される。この後、ＣＰＵ７４は、画像を撮像する（Ｓ２２）。これにより、撮像処理が終了する。
【００５０】
上述したように、閃光導光ユニット２８は、バヨネット２０を介して、撮像装置１０に取り付けられる。これにより、閃光導光ユニット２８を容易に取り付けることができる。
【００５１】
閃光導光ユニット２８では、閃光接続部４０の端面に弾性部材５６が設けられている。これにより、閃光接続部４０の端面と閃光部１６の前面とを密着させることができるので、閃光部１６からの閃光の漏れを抑制できる。
【００５２】
閃光導光ユニット２８では、光出力部４２がバヨネット接続部４４に対して回転可能に設けられている。これにより、閃光導光ユニット２８は、閃光部１６の位置が異なる撮像装置１０及び外爪３０の位置が異なる撮像装置１０に対応できる。
【００５３】
撮像装置１０では、閃光導光ユニット２８を検出する検出部２２、２４を有する。これにより、検出部２２、２４によって、閃光導光ユニット２８が検出されると、ＣＰＵ７４はマクロモードに切り替えることができる。この結果、ユーザは、マクロモードの設定を省略することができる。
【００５４】
図１１は、閃光導光ユニットの一部を変更した撮像装置の全体斜視図である。図１１に示す閃光導光ユニット２８は、取付部９０を有する。取付部９０は、光出力部４２の出力側の端部に設けられている。取付部９０は、リング状に形成されている。取付部９０の内周面には、ネジ溝９２が形成されている。このネジ溝９２にフィルター等の他の光学部品を螺合させることによって取り付けることができる。
【００５５】
閃光導光ユニットの閃光接続部の外周面、及び、光出力部の外周面に、閃光が外部に漏れないように遮光する遮光部材を設けてもよい。例えば、閃光導光ユニットが、光ファイバの代わりに透明樹脂によって閃光を導光させる場合等に、遮光部材は有効である。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５８】
１０  撮像装置 
１２  筐体 
１４  レンズ部 
１６  閃光部 
１８  レリーズボタン 
２０  バヨネット 
２２  検出部 
２４  検出部 
２６  ロック機構 
２８  閃光導光ユニット 
３０  外爪 
３２  バヨネット板バネ 
３４  ロック爪 
３６  ロック解除ボタン 
４０  閃光接続部 
４２  光出力部 
４４  バヨネット接続部 
４６  光ファイバ 
４８  バヨネット羽根 
５０  凹部 
５２  規制部材 
５４  固定部材 
５６  弾性部材 
５８  閃光側端部 
６０  光出力側端部 
６２  回動軸 
６６  連結凸部 
６８  バヨネット溝 
７０  連結溝 
７４  ＣＰＵ 
７６  撮像素子 
７８  撮像制御部 
８０  ズーム制御部 
８２  フォーカス制御部 
８４  ズームボタン 
８６  記憶部 
９０  取付部 
９２  ネジ溝 
１４４  バヨネット接続部 
１４８  バヨネット羽根 
【図１】
2012185190.tif 000003
【図２】
2012185190.tif 000004
【図３】
2012185190.tif 000005
【図４】
2012185190.tif 000006
【図５】
2012185190.tif 000007
【図６】
2012185190.tif 000008
【図７】
2012185190.tif 000009
【図８】
2012185190.tif 000010
【図９】
2012185190.tif 000011
【図１０】
2012185190.tif 000012
【図１１】
2012185190.tif 000013